(57)【特許請求の範囲】
【請求項１】
ラインを有するプラグ本体部を備えた雄コネクタを、ラインを有するソケット本体部を備えた雌コネクタに組み付けることにより当該ライン同士を電気接続するコネクタにおいて、
前記雄コネクタは、
前記プラグ本体部の外周面に回動可能に取り付けられ、外周面に雄ネジが形成され、外周面後方側に所定の間隔で摺動溝が形成されたホルダと、
先端側に係合爪を有して、前記摺動溝で摺動する係合突起部が一体形成され、前記ホルダとともに回動可能に取り付けられたツマミ部とを備えた
ことを特徴とするコネクタ。
【請求項２】
前記雌コネクタは、前記ソケット本体部の外周面に回動可能に取り付けられ、内周面に前記係合爪と係合する係合溝が形成されたホルダを備えた
ことを特徴とする請求項１記載のコネクタ。
【請求項３】
前記雌コネクタは、前記ソケット本体部の外周面に回動可能に取り付けられ、内周面に前記雄ネジと螺合する雌ネジが形成されたホルダを備えた
ことを特徴とする請求項１記載のコネクタ。
【請求項４】
前記雄コネクタのホルダ外周面には、前記摺動溝部分の前方側にガイドネジ部が形成される
ことを特徴とする請求項１から請求項３のうちいずれか１項記載のコネクタ。
【請求項５】
前記摺動溝は、前記ホルダ内周面まで貫通するように切り欠かれている
ことを特徴とする請求項１から請求項４のうちいずれか１項記載のコネクタ。
【請求項６】
前記摺動溝は、前記ホルダ内周面まで貫通していない窪み状に形成される
ことを特徴とする請求項１から請求項４のうちいずれか１項記載のコネクタ。
【請求項７】
前記雄コネクタのホルダ外周面には、前記係合爪が前記摺動溝先端に位置する際に前記ツマミ部と当接するダミーツマミ部が形成される
ことを特徴とする請求項１から請求項６のうちいずれか１項記載のコネクタ。
【発明の詳細な説明】
【技術分野】
【０００１】
この発明は、例えば、バヨネット式及びネジ式の両方式に接続可能なコネクタに関するものである。
【背景技術】
【０００２】
従来のコネクタにおいて、一端に電気ケーブルを有する雄コネクタ１００は、図６に示すように、外周面に雄ネジ１０１ａ及び摺動溝１０１ｂが形成されたツマミ部１０１と、先端側に係合爪１０２ａを有し、摺動溝１０１ｂで前後に摺動する係合突起部１０２ｂが形成された抜け止め具１０２とを備えている。また、抜け止め具１０２は、後方に取り付けられたコイルバネ１０３によりツマミ部１０１側に付勢されている（例えば、特許文献１参照）。
【０００３】
また、一端に電気ケーブルを有するバヨネット式の雌コネクタでは、内周面に、雄コネクタ１００を組み付ける際に、係合爪１０２ａをガイドするガイド部と係合爪１０２ａが係合するストッパ部とからなる係合溝が形成されたツマミ部を備えている。
雄コネクタ１００をこのバヨネット式雌コネクタに組み付ける場合には、作業者は、雄コネクタ１００のツマミ部１０１及び雌コネクタのツマミ部を持ち、雄コネクタ１００を雌コネクタに挿入して係合爪１０２ａを係合溝のガイド部に沿って挿入させる。次いで、雄コネクタ１００または雌コネクタを所定の方向に回転させて係合爪１０２ａを係合溝のストッパ部に係合させる。これにより、電気ケーブルを同一軸心上に電気接続することができる。
【０００４】
一方、一端に電気ケーブルを有するネジ式の雌コネクタでは、内周面に、雄ネジ１０１ａと螺合する雌ネジが形成されたツマミ部を備えている。
雄コネクタ１００をこのネジ式雌コネクタに組み付ける場合には、作業者は、雄コネクタ１００のツマミ部１０１及び雌コネクタのツマミ部を持ち、雄ネジ１０１ａと雌ネジを螺合させる。この際、係合爪１０２ａは、雌ネジが当接することによってコイルバネ１０３を付勢しながら後方側に移動する。これにより、電気ケーブルを同一軸心上に電気接続することが可能となる。
【先行技術文献】
【特許文献】
【０００５】
【特許文献１】特開２００７−１０３０４６号公報
【発明の概要】
【発明が解決しようとする課題】
【０００６】
この特許文献１に開示される従来の雄コネクタ１００では、ネジ式及びバヨネット式の両方式の雌コネクタに組み付けるために、抜け止め具１０２をツマミ部１０１側に付勢するためのコイルバネ１０３が必要となる。しかしながら、コイルバネ１０３が折損した場合には、この折損を原因としたコイルバネ１０３の動作不能が引き起こされる恐れがあり、コネクタの接続不能が懸念されるという課題がある。また、コイルバネ１０３が折損に至らない程度の腐食に侵された場合であっても、この腐食を原因としたコイルバネ１０３の動作不具合が引き起こされる恐れがあり、コネクタの接続不良が懸念されるという課題がある。
【０００７】
この発明は、上記のような課題を解決するためになされたもので、コイルバネを用いることなく、バヨネット式及びネジ式の両方式に組み付け可能なコネクタを提供することを目的としている。
【課題を解決するための手段】
【０００８】
この発明に係るコネクタは、ラインを有するプラグ本体部を備えた雄コネクタを、ラインを有するソケット本体部を備えた雌コネクタに組み付けることにより当該ライン同士を電気接続するコネクタにおいて、雄コネクタは、プラグ本体部の外周面に回動可能に取り付けられ、外周面に雄ネジが形成され、外周面後方側に所定の間隔で摺動溝が形成されたホルダと、先端側に係合爪を有して、摺動溝で摺動する係合突起部が一体形成され、ホルダとともに回動可能に取り付けられたツマミ部とを備えたものである。
【発明の効果】
【０００９】
この発明によれば、上記のように構成したので、外周面に雄ネジ及び摺動溝を形成したホルダと、先端側に係合爪を有して摺動溝で摺動する係合突起部を一体形成したツマミ部とを備えることで、コイルバネを用いることなく、バヨネット式及びネジ式の両方式の雌コネクタに組み付けることができる。
【図面の簡単な説明】
【００１０】
【図１】この発明の実施の形態１に係るコネクタの構成を示す斜視図である。
【図２】この発明の実施の形態１におけるホルダ及びツマミ部の構成を示す分解斜視図である。
【図３】この発明の実施の形態１における雄コネクタをバヨネット式雌コネクタに組み付けた場合の（ａ）斜視図であり、（ｂ）一部を切り取った斜視図である。
【図４】この発明の実施の形態１における雄コネクタをネジ式雌コネクタに組み付けた場合の（ａ）斜視図であり、（ｂ）一部を切り取った斜視図である。
【図５】この発明の実施の形態２におけるホルダ及びツマミ部の構成を示す分解斜視図である。
【図６】従来の雄コネクタの構成を示す（ａ）分解斜視図であり、（ｂ）断面斜視図である。
【発明を実施するための形態】
【００１１】
以下、この発明の実施の形態について図面を参照しながら詳細に説明する。
実施の形態１．
図１はこの発明の実施の形態１に係るコネクタの構成を示す斜視図である。また、図２はこの発明の実施の形態１におけるホルダ６及びツマミ部７の構成を示す分解斜視図である。
コネクタは、図１に示すように、一端側に電気ケーブル（ライン）３ａを有する雄コネクタ１と、一端側に電気ケーブル（ライン）３ｂを有する雌コネクタ２とから構成される。
【００１２】
雄コネクタ１は、図１に示すように、電気ケーブル３ａ端部が電気接続されたピン端子４が突出したプラグ本体部５と、このプラグ本体部５外周面に回動可能に取り付けられたホルダ６と、このホルダ６とともに回動可能に取り付けられたツマミ部７と、プラグ用外皮部８とから構成される。
【００１３】
ホルダ６は、環状部材であり、図２に示すように、外周面に後述するネジ式雌コネクタ２ｂの雌ネジ１８と螺合する雄ネジ９が形成されている。また、ホルダ６外周面の後方側には、所定の間隔で軸心と平行に、ツマミ部７の後述する係合突起部１２が摺動する摺動溝１０が形成されている。なお、摺動溝１０は、ホルダ６の内周面側まで貫通するように切り欠かれて形成されている。
さらに、ホルダ６外周面の摺動溝１０部分の前方側には、ネジ式雌コネクタ２ｂの雌ネジ１８を雄ネジ９側にガイドするガイドネジ部１１が形成されている。
【００１４】
ツマミ部７は、作業者が雄コネクタ１を雌コネクタ２に組み付ける際に摘む部位であり、図２に示すように、係合突起部１２が一体に形成されたものである。この係合突起部１２は、摺動溝１０と同一の間隔で軸心と平行に形成され、先端側には、後述するバヨネット式雌コネクタ２ａの係合溝１７に係合する係合爪１３が形成されている。
なお、このツマミ部７の内径は、ホルダ６の外径と略同一寸法に形成されている。
【００１５】
次に、バヨネット式雌コネクタ２ａの構成について説明する。なお、バヨネット式とは、複数本の係合爪と、その係合爪と係合するストッパ部によって接続を行う方式を指す。
図３はこの発明の実施の形態１における雄コネクタ１をバヨネット式雌コネクタ２ａに組み付けた場合の（ａ）斜視図であり、（ｂ）一部を切り取った斜視図である。
バヨネット式雌コネクタ２ａは、図１，３に示すように、雄コネクタ１が組み付けられた際にピン端子４を介して電気ケーブル３ａ，３ｂを同一軸心上で電気接続するソケット本体部１４と、このソケット本体部１４外周面に回動可能に取り付けられたツマミ部１５と、ソケット用外皮部１６とから構成される。
【００１６】
このツマミ部１５の内周面には、図３（ｂ）に示すように、雄コネクタ１をバヨネット式雌コネクタ２ａに組み付ける際に、係合爪１３をガイドするガイド部１７ａと、係合爪１３と係合するストッパ部１７ｂとからなる係合溝１７が形成されている。
【００１７】
次に、雄コネクタ１をバヨネット式雌コネクタ２ａに組み付ける際の動作について説明する。
雄コネクタ１をバヨネット式雌コネクタ２ａに組み付ける場合には、図３に示すように、まず、作業者はツマミ部７，１５を持ち、雄コネクタ１を雌コネクタ２ａに挿入する。この際、作業者はツマミ部７をホルダ６側に付勢しながら挿入を行う。これにより、係合爪１３がガイド部１７ａに沿って挿入される。
【００１８】
次いで、雄コネクタ１または雌コネクタ２ａを一方向に回動させて係合爪１３をストッパ部１７ｂに係合させる。これにより、雄コネクタ１とバヨネット式雌コネクタ２ａとがロック状態となり、電気ケーブル３ａ，３ｂを同一軸心上に電気接続することができる。
【００１９】
次に、ネジ式雌コネクタ２ｂの構成について説明する。
図４はこの発明の実施の形態１における雄コネクタ１をネジ式雌コネクタ２ｂに組み付けた場合の（ａ）斜視図であり、（ｂ）一部を切り取った斜視図である。
ネジ式雌コネクタ２ｂは、図４（ｂ）に示すように、バヨネット式雌コネクタ２ａの係合溝１７の代わりに、ツマミ部１５の内周面に、雄ネジ９と螺合する雌ネジ１８を形成したものである。その他の構成は同様であり、同一の符号を付しその説明を省略する。
【００２０】
次に、雄コネクタ１をネジ式雌コネクタ２ｂに組み付ける際の動作について説明する。
雄コネクタ１をネジ式雌コネクタ２ｂに組み付ける場合には、図４に示すように、まず、作業者はツマミ部７，１５を持ち、ガイドネジ部１１と雌ネジ１８とを螺合させる。これにより、雌ネジ１８が雄ネジ９側にガイドされる。ここで、雌ネジ１８が係合爪１３に当接すると、係合爪１３が後方側に付勢されるため、ツマミ部７がホルダ６から離れる。
次いで、雄ネジ９と雌ネジ１８とを螺合させる。これにより、雄コネクタ１とバネ式雌コネクタ２ｂとがロック状態となり、電気ケーブル３ａ，３ｂを同一軸心上に電気接続することができる。
【００２１】
以上のように、この実施の形態１によれば、ホルダ６に雄ネジ９及び摺動溝１０を形成し、ツマミ部７に係合爪１３を有する係合突起部１２を一体形成することで、バヨネット式雌コネクタ２ａに対しては、作業者がツマミ部７により係合爪１３をホルダ６側に付勢しながら組み付けを行い、ネジ式雌コネクタ２ｂに対しては、雌ネジ１８が係合爪１３に当接することによってツマミ部７がホルダ６から離れて、係合爪１３を後方側に移動させて組み付けを行うように構成したので、従来のコネクタのようにコイルバネを用いることなく、雄コネクタ１をバヨネット式及びネジ式の両方式の雌コネクタ２に対して組み付けることができる。
【００２２】
また、コイルバネが不要となるため、部品点数を削減することができ、部品コストを抑えることができる。
また、従来のコイルバネを用いた雄コネクタを製造する場合には、コイルバネをホルダ内に収納後にプラグ用外皮部を成形する際に、収納したコイルバネをホルダ側に付勢しながら金型に取り付けてプラグ用外皮部を成形する必要があるため、製造が容易ではない。それに対して、実施の形態１に係る雄コネクタでは、コイルバネを用いていないため、その製造が容易であり、製造コストを低減させることができる。
【００２３】
また、ホルダ６外周面に、雌ネジ１８を雄ネジ９側にガイドするガイドネジ部１１を形成したので、雄コネクタ１をネジ式雌コネクタ２ｂに組み付ける際に容易に雄ネジ９と雌ネジ１８とを螺合させることができる。
【００２４】
実施の形態２．
実施の形態１では、雄コネクタ１をネジ式雌コネクタ２ｂに組み付ける場合に、ツマミ部７がホルダ６から離れてしまうため、作業者が、組み付けが完了した感覚を得ることができない恐れがある。そこで、図５に示すように、ホルダ６外周面に、係合突起部１２が摺動溝１０先端に位置する際にツマミ部７と当接するダミーツマミ部１９を形成するように構成してもよい。このようにダミーツマミ部１９を形成することによって、雄コネクタ１をネジ式雌コネクタ２ｂに組み付けた際に、ツマミ部７とホルダ６との間隔を視覚的に短くすることができ、作業者に対して、より組み付けが完了した感覚を与えることができる。
【００２５】
なお、実施の形態１，２に係る雄コネクタ１では、摺動溝１０をホルダ６内周面側まで貫通するように切り欠いて構成したが、摺動溝１０をホルダ６内周面側までは貫通しない窪み状に形成してもよい。
【符号の説明】
【００２６】
１  雄コネクタ
２  雌コネクタ
２ａ  バヨネット式雌コネクタ
２ｂ  ネジ式雌コネクタ
３ａ，３ｂ  電気ケーブル（ライン）
４  ピン端子
５  プラグ本体部
６  ホルダ
７  ツマミ部
８  プラグ用外皮部
９  雄ネジ
１０  摺動溝
１１  ガイドネジ部
１２  係合突起部
１３  係合爪
１４  ソケット本体部
１５  ツマミ部
１６  ソケット用外皮部
１７  係合溝
１７ａ  ガイド部
１７ｂ  ストッパ部
１８  雌ネジ
１９  ダミーツマミ部
【図１】
0005449033.tif 000002
【図２】
0005449033.tif 000003
【図３】
0005449033.tif 000004
【図４】
0005449033.tif 000005
【図５】
0005449033.tif 000006
【図６】
0005449033.tif 000007